(57)【要約】【課題】  使用後における静音性を確保することができるとともに、使用直後であっても持ち運ぶことができるプロジェクタを提供すること。【解決手段】  プロジェクタにおける光源装置を覆うランプカバー２５を、ランプカバー本体２５１と、スライド移動可能に設けられたスライド部材２５２とを含んで構成する。スライド部材２５２は、ランプカバー本体２５１の開口部２５１１を開放する開放位置と、閉塞する閉塞位置との間をスライド移動可能である。プロジェクタの電源がオンのときは、スライド部材２５２は閉塞位置にあり、電源がオフになるとばね部２５２２の付勢力によってスライド部材２５２が開放位置に移動する。これにより、開放された開口部２５１１を通じて光源装置が自然冷却されるので、電源オフ後も二次電池などで冷却ファンを駆動し続ける必要がなくなる。【選択図】  図５
2007033792.tif 000002
【特許請求の範囲】
【請求項１】
光源装置と、前記光源装置を内部に収納配置する外装筐体とを備え、前記光源装置から射出された光束を変調して拡大投射するプロジェクタであって、
前記外装筐体には、前記光源装置に対応する位置に開口部が形成され、
前記開口部を閉塞可能であり、前記開口部を閉塞する閉塞位置と、前記開口部を開放する開放位置との間を移動可能に設けられる閉塞移動部材と、
前記閉塞移動部材の移動を制御する移動制御手段と、
が設けられることを特徴とするプロジェクタ。
【請求項２】
請求項１に記載のプロジェクタにおいて、
前記移動制御手段は、電力の供給を受けて前記閉塞移動部材を閉塞位置側に駆動可能な駆動手段と、前記閉塞移動部材を開放位置側に付勢する付勢手段とを備えて構成され、
前記駆動手段に電力が供給されているときには、前記閉塞移動部材は、前記駆動手段によって前記付勢手段の付勢力に抗して駆動されて前記閉塞位置に位置付けられ、
前記駆動手段に電力が供給されていないときには、前記閉塞移動部材は、前記付勢手段の付勢力によって前記開放位置に位置付けられる、
ことを特徴とするプロジェクタ。
【請求項３】
請求項１に記載のプロジェクタにおいて、
前記移動制御手段は、前記閉塞移動部材と接続され温度に応じて変形可能な熱変形部材を備えて構成され、
前記閉塞移動部材は、前記熱変形部材の変形に応じて前記閉塞位置と前記開放位置との間を移動可能である、
ことを特徴とするプロジェクタ。
【請求項４】
請求項１から請求項３のいずれかに記載のプロジェクタにおいて、
前記外装筐体には、前記光源装置を覆う蓋体が着脱可能に設けられ、
前記開口部は、前記蓋体に形成される、
ことを特徴とするプロジェクタ。
【請求項５】
請求項１から請求項４のいずれかに記載のプロジェクタにおいて、
前記開口部には、当該開口部を介した異物の侵入を防止するフィルタが設けられる、
ことを特徴とするプロジェクタ。
【請求項６】
請求項１から請求項５のいずれかに記載のプロジェクタにおいて、
前記開口部は、前記外装筐体の天面部に形成される、
ことを特徴とするプロジェクタ。
【発明の詳細な説明】
【技術分野】
【０００１】
本発明は、プロジェクタに関する。
【背景技術】
【０００２】
従来、光源装置と、光源装置を内部に収納配置する外装筐体とを備え、光源装置から射出された光束を変調して拡大投射するプロジェクタが知られている。このようなプロジェクタにおいて、光源装置は光束を射出すると同時に熱を生成するため、高温になりやすい。このため、従来のプロジェクタでは、光源装置を冷却するための冷却ファンが設けられるのが一般的である。冷却ファンは、プロジェクタ使用時においては、外装筐体内部に収納配置される電源ユニット（プロジェクタの各構成要素に電力を供給するユニット）からの電力供給を受けて駆動され、光源装置を冷却する。そして、プロジェクタの使用が終わると、電源ユニットからの電力供給が停止するため、冷却ファンは停止する。
【０００３】
しかしながら、プロジェクタの使用直後には通常光源装置が高温になっているので、プロジェクタの使用終了に合わせて冷却ファンを停止してしまうと、光源装置の余熱によって外装筐体内部が高温になり不具合が発生するおそれがある。
【０００４】
そこで、電源ユニットからの電力供給を受けて充電を行う二次電池を設け、プロジェクタの使用直後には充電された二次電池によってそのままの強さで冷却ファンを駆動し続けて、高温の光源装置を冷却するプロジェクタが考案されている（例えば、特許文献１参照）。
【０００５】
【特許文献１】特開平１１−１３３５０５号公報
【発明の開示】
【発明が解決しようとする課題】
【０００６】
しかしながら、特許文献１のプロジェクタでは、プロジェクタ使用後も冷却ファンをそのままの強さで駆動し続ける必要があるので、騒音が発生して静音性を確保することができない。また、使用後のプロジェクタを片付ける際などには、安全のため、二次電池によって駆動されている冷却ファンが停止するのを待ってからでないとプロジェクタを持ち運ぶことができないため、不便である。
【０００７】
本発明の目的は、使用後における静音性を確保することができるとともに、使用直後であっても持ち運ぶことができるプロジェクタを提供することである。
【課題を解決するための手段】
【０００８】
本発明のプロジェクタは、光源装置と、前記光源装置を内部に収納配置する外装筐体とを備え、前記光源装置から射出された光束を変調して拡大投射するプロジェクタであって、前記外装筐体には、前記光源装置に対応する位置に開口部が形成され、前記開口部を閉塞可能であり、前記開口部を閉塞する閉塞位置と、前記開口部を開放する開放位置との間を移動可能に設けられる閉塞移動部材と、前記閉塞移動部材の移動を制御する移動制御手段と、が設けられることを特徴とする。
【０００９】
このような本発明では、プロジェクタ使用後も二次電池によって光源装置冷却用の冷却ファンをそのままの強さで駆動し続ける特許文献１とは異なり、以下で説明するように、プロジェクタの使用後には冷却ファンなどの冷却手段の駆動を緩和あるいは停止させることができる（なお、緩和状態での冷却手段の駆動は、特許文献１における二次電池のようなサブ電源によって行われる）。その代わりに、本発明のプロジェクタでは、移動制御手段による制御の下で閉塞移動部材が移動され、光源装置に対応する位置に形成された開口部の開閉が行われるようになっている。具体的には、プロジェクタの使用時など、冷却ファンなどの冷却手段によって光源装置の冷却が行われている時には、移動制御手段によって閉塞移動部材が閉塞位置に移動され、開口部が閉塞される。これにより、光源装置は、従来通り、冷却手段によって冷却される。また、プロジェクタの使用終了直後など、光源装置が高温になっているにも関わらず冷却手段の駆動を緩和あるいは停止させている時には、移動制御手段によって閉塞移動部材が開放位置に移動され、開口部が開放される。これにより、光源装置は、開口部を介して自然冷却される。
【００１０】
以上のように、本発明のプロジェクタによれば、プロジェクタの使用終了直後など光源装置が高温になっている時には、開口部が開放されて光源装置が自然冷却されるようになっているので、冷却ファンなどの冷却手段の駆動を緩和あるいは停止させたとしても、外装筐体内部が光源装置の余熱によって高温になることを防止することができ、不具合の発生を防止することができる。そして、プロジェクタの使用終了に合わせて冷却ファンなどの冷却手段の駆動を緩和あるいは停止させることができるので、プロジェクタ使用後における静音性を確保することができるとともに、使用直後であってもプロジェクタの持ち運びを可能にすることができる。
【００１１】
また、本発明のプロジェクタでは、前記移動制御手段は、電力の供給を受けて前記閉塞移動部材を閉塞位置側に駆動可能な駆動手段と、前記閉塞移動部材を開放位置側に付勢する付勢手段とを備えて構成され、前記駆動手段に電力が供給されているときには、前記閉塞移動部材は、前記駆動手段によって前記付勢手段の付勢力に抗して駆動されて前記閉塞位置に位置付けられ、前記駆動手段に電力が供給されていないときには、前記閉塞移動部材は、前記付勢手段の付勢力によって前記開放位置に位置付けられる、ことが好ましい。
【００１２】
このような構成では、駆動手段への電力供給に応じて開口部の開閉を行うことができる。すなわち、駆動手段に電力供給が行われている時には開口部が閉塞され、駆動手段に電力供給が行われていない時には開口部が開放される。
ここで、駆動手段に電力供給を行うタイミングは適宜自由に設定可能であるが、プロジェクタの使用時に電力供給を行い、プロジェクタの非使用時に電力供給を行わないようにすることが好ましい。このような例においては、プロジェクタの使用時には、電力供給を受けている駆動手段が付勢手段の付勢力に抗して閉塞移動部材を閉塞位置に向けて駆動しているので、開口部は閉塞されている。そして、開口部が閉塞された状態で、冷却ファンなどの冷却手段によって光源装置の従来通りの冷却を行うことができる。また、プロジェクタの使用終了後（冷却手段の駆動が緩和あるいは停止）には、駆動手段に電力供給が行われず、駆動力が発生されないので、閉塞移動部材は付勢手段の付勢力によって開放位置に移動され、開口部が開放される。このため、特にプロジェクタ使用直後において高温になっている光源装置を開口部を介して自然冷却することができる。
【００１３】
以上のような構成のプロジェクタによれば、閉塞移動部材の開放位置への移動が付勢手段の付勢力に基づいて行われ、電力が用いられないようになっているので、電力消費の少ないプロジェクタを提供することができる。特に、前記の例のように、プロジェクタの使用後（非使用時）に閉塞移動部材を開放位置に移動させる場合にも電力が不要になるので、特許文献１における二次電池のようにプロジェクタ使用後の電力供給を行うためのサブ電源を設ける必要がなくなり、部品点数および部品コストを低減することができる。
【００１４】
また、本発明のプロジェクタでは、前記移動制御手段は、前記閉塞移動部材と接続され温度に応じて変形可能な熱変形部材を備えて構成され、前記閉塞移動部材は、前記熱変形部材の変形に応じて前記閉塞位置と前記開放位置との間を移動可能である、ことが好ましい。
【００１５】
このような構成では、熱変形部材（バイメタルなど）の変形に応じて閉塞位置と開放位置との間を閉塞移動部材が移動されるようになっている。具体的には、高温時には開放位置に閉塞移動部材が移動され、低温時には閉塞位置に閉塞移動部材が移動されるようになっていることが好ましい。ここで、「高温時」とは、光源装置が高温になっているにも関わらず冷却手段の駆動が緩和あるいは停止されている時、例えば、プロジェクタの使用直後において冷却ファンの駆動が緩和あるいは停止され、高温になっている光源装置の余熱によって外装筐体内部が高温になっている時などをいう。また、「低温時」とは、プロジェクタの使用時において冷却手段によって光源装置の冷却が行われており、光源装置から発生する熱が外装筐体内部に滞留することがない時や、プロジェクタの使用終了から所定時間が経過しており、光源装置自体が低温（室温程度）になっている時などをいう。
【００１６】
以上のような構成によれば、プロジェクタの使用時（低温時）には、熱変形部材によって閉塞移動部材が閉塞位置に移動されて開口部が閉塞されるとともに、冷却手段によって光源装置の冷却が従来通り行われる。また、プロジェクタの使用直後（高温時）には、熱変形部材によって閉塞移動部材が開放位置に移動されて開口部が開放され、高温になっている光源装置が開口部を介して自然冷却される。そして、自然冷却によって光源装置の温度が十分に下がると（低温時）、熱変形部材によって閉塞移動部材が閉塞位置に移動されて開口部が閉塞される。このように、プロジェクタ使用直後を除いたプロジェクタ非使用時には開口部が閉塞されるようになっているので、開口部を介して異物が侵入してくるのを防止することができる。
【００１７】
また、以上のような構成のプロジェクタによれば、閉塞移動部材の移動が熱変形部材の変形に基づいて行われ、電力が用いられないようになっているので、電力消費の少ないプロジェクタを提供することができる。特に、プロジェクタの使用直後（高温時）に閉塞移動部材を開放位置に移動させる場合にも電力が不要になるので、特許文献１における二次電池のようにプロジェクタ使用後の電力供給を行うためのサブ電源を設ける必要がなくなり、部品点数および部品コストを低減することができる。
【００１８】
また、本発明のプロジェクタでは、前記外装筐体には、前記光源装置を覆う蓋体が着脱可能に設けられ、前記開口部は、前記蓋体に形成される、ことが好ましい。
このような構成のプロジェクタによれば、開口部が形成された蓋体を外装筐体から取り外すことができるので、開口部に塵埃等の異物が溜まった場合であっても簡単に除去することができ、また、蓋体を外装筐体から取り外せば開口部の開閉に用いられる閉塞移動部材や移動制御手段の交換や修理を簡単に行うことができる。
【００１９】
また、本発明のプロジェクタでは、前記開口部には、当該開口部を介した異物の侵入を防止するフィルタが設けられる、ことが好ましい。
このような構成のプロジェクタによれば、閉塞移動部材が開放位置にあって開口部が開放されている時にもフィルタによって異物の侵入を防止することができるから、不具合の発生を防止することができる。
【００２０】
また、本発明のプロジェクタでは、前記開口部は、前記外装筐体の天面部に形成される、ことが好ましい。
光源装置で温められて比重の小さくなった高温空気は外装筐体の天面部に向かって上昇するので、開口部を天面部に形成することによって、当該開口部を介して高温空気を効率的に外装筐体外部に排出させることができ、光源装置を効率的に自然冷却することができる。
【発明を実施するための最良の形態】
【００２１】
＜第１実施形態＞
続いて、本発明の第１実施形態を図面に基づいて説明する。
〔１．外観構成〕
図１は、プロジェクタ１を背面上方側から見た斜視図である。
プロジェクタ１は、光源装置から射出された光束を変調して光学像を形成し、スクリーン（図示略）上に拡大投射する装置である。図１に示されるように、プロジェクタ１は略直方体状の外装筐体２を備えている。なお、図１における図示は省略するが、光学像をスクリーン上に拡大投射するための投射レンズ３が、外装筐体２の前面から露出するように配置されている。投射レンズ３は、筒状の鏡筒と、当該鏡筒内に収納配置される複数のレンズとを備える組レンズとして構成され、プロジェクタ１の装置本体において画像情報に応じて変調された光学像を拡大投射する。
【００２２】
外装筺体２は、プロジェクタ１の装置本体を収納する合成樹脂製の筺体であり、装置本体の上側部分を覆うアッパーケース２１と、装置本体の下側部分を覆うロアーケース２２とを備えている。
【００２３】
アッパーケース２１は、外装筐体２の天面を構成する天面部２１Ａと、左右側面を構成する側面部２１Ｂ，２１Ｃと、背面の一部を構成する背面部２１Ｄと、前面の一部を構成する前面部２１Ｅとを含んで構成されている。
【００２４】
天面部２１Ａは、図２にも示されるように、表面が平面視略矩形状の略平坦面状に形成されている。天面部２１Ａの前方側において、前方から見て右側部分には、３つの開口部２１Ａ１が形成されている。３つの開口部２１Ａ１からは、投射レンズ３を操作するための３つの回転つまみ３Ａの一部が露出されている。これらの回転つまみ３Ａを操作することにより、スクリーン上に投射される投射画像のフォーカス調整，ズーム調整，投射位置調整を実施することができる。
【００２５】
また、天面部２１Ａの後方側において、後方から見て略中央部分には、操作パネル２３が左右方向に延びるように設けられている。操作パネル２３には、複数の操作ボタン２３１が設けられており、各操作ボタン２３１の押下操作に基づいてプロジェクタ１の起動・調整などを行うことができる。天面部２１Ａの裏面側（外装筐体２の内側）には、回路基板２３２（図１２，図１５参照）が操作パネル２３と対向されるように配置されており、操作パネル２３における操作ボタン２３１の押下操作を行うと、当該操作ボタン２３１が回路基板２３２に実装されているタクトスイッチ（図示略）と接触し、当該操作ボタン２３１に対応する作業がプロジェクタ１によって実行されるようになっている。また、回路基板２３２には、ＬＥＤ(Light Emitting Diode：図示略)が取り付けられており、操作パネル２３やリモートコントローラによる所定の操作に応じて発光するようになっている。
なお、回路基板２３２は、プロジェクタ１の全般的な制御を実施する制御基板（図示略）と電気的に接続されており、操作ボタン２３１の押下操作に伴う操作信号が、制御基板に出力されるようになっている。そして、制御基板は、入力された操作信号に基づいてプロジェクタ１の各構成要素を制御し、操作ボタン２３１の操作に応じた動作を行わせることができる。
【００２６】
また、天面部２１Ａの後方側において、後方から見て右側部分には、平面視矩形状の天面開口部２４１Ａが形成されている。そして、天面部２１Ａには、天面開口部２４１Ａを閉塞する平面視略矩形板状のランプカバー２５（本発明における蓋体に相当）が着脱可能に設けられている。ここで、ランプカバー２５は、天面部２１Ａに取り付けられて天面開口部２４１Ａを閉塞している状態で、外装筐体２の一部となっている。図２に示されるように、外装筐体２の内部であって、天面開口部２４１Ａあるいはランプカバー２５と対向される位置には、光束を射出する光源装置４１が配置されている。これにより、ランプカバー２５を天面部２１Ａから取り外した状態で、天面開口部２４１Ａを介して光源装置４１を交換することができる。なお、光源装置４１については、後で詳細に説明する。
【００２７】
図１に戻って、側面部２１Ｂは、天面部２１Ａの横方向（図１では左右方向）端縁から垂下し、表面が平面視略矩形状の略平坦面状に形成されている。また、図示は省略するが、側面部２１Ｃも側面部２１Ｂと同様に形成されている。
側面部２１Ｂの前方側には、外装筐体２内部の空気を外部に排出するための排気口２６が形成されている。排気口２６には、排出空気所定方向に整流するためのルーバ２６１が取り付けられている。
【００２８】
図２に示されるように、排気口２６は、排気ダクト２６３を介して冷却ファン２６２と接続されている。冷却ファン２６２は、外装筐体２内部に配置され、プロジェクタ１の他の構成要素とともに光源装置４１を冷却するファンである。冷却ファン２６２は、吸気面を光源装置４１に向けて、光源装置４１の近傍に配置されており、光源装置４１にて温められた空気を吸い込み、排気ダクト２６３を介して排気口２６を通じて外部に排出する。冷却ファン２６２は、プロジェクタ１の電源がオンの状態において、制御基板による制御の下、外装筐体２内部に配置される電源ユニット（図示略）からの電力供給を受けて駆動されるようになっている。なお、冷却ファン２６２は、プロジェクタ１の電源のオフの状態においては、駆動が停止されるようになっている。すなわち、冷却ファン２６２の駆動／停止は、プロジェクタ１の電源のオン／オフと連動している。
【００２９】
図１に戻って、側面部２１Ｂの上方側であって、天面部２１Ａに形成されている天面開口部２４１Ａあるいはランプカバー２５に近い位置には、外装筺体２の内部と連通し、天面部２１Ａに対するランプカバー２５の取り外し操作を行うための操作用孔２１Ｂ１が形成されている。
【００３０】
図１に示されるように、背面部２１Ｄは、天面部２１Ａの縦方向（図１では上下方向）端縁から垂下し、表面が略平坦面状に形成されている。背面部２１Ｄは、下端縁の略中央部分から上方側に向かって形成された平面視略矩形状の切欠２１Ｄ１を有しており、この切欠２１Ｄ１のために背面部２１Ｄの平面形状が略コ字状になっている。
【００３１】
詳しい図示は省略するが、前面部２１Ｅは、天面部２１Ａの縦方向（図１では上下方向）端縁から垂下し、表面が平面視略矩形状の略平坦面状に形成されている。前面部２１Ｅには、前方から見て右側部分に、投射レンズ３の先端部分を露出させるための開口部２１Ｅ１（図１２，図１５参照）が形成されている。また、前面部２１Ｅは、下端縁から上方側に向かって形成された平面視略矩形状の２つの切欠２１Ｅ２，２１Ｅ３（図１２，図１５参照）を有している。
【００３２】
ロアーケース２２は、外装筐体２の底面を構成する底面部２２Ａと、背面の一部を構成する背面部２２Ｄと、前面の一部を構成する前面部２２Ｅ（図示略）とを含んで構成されている。
【００３３】
底面部２２Ａは、具体的な図示は省略するが、表面が平面視略矩形状の略平坦面状に形成されている。底面部２２Ａには、机等の接地面に接地される複数の脚部や、外装筐体２内部に外部の冷却空気を導入するための吸気口などが形成されている。
【００３４】
背面部２２Ｄは、図１に示されるように、底面部２２Ａの縦方向後方側端縁の中央部分から上方に立設形成されている。背面部２２Ｄは、平面視略矩形状であり、アッパーケースの背面部２１Ｄに形成されている平面視略矩形状の切欠２１Ｄ１と同形状である。そして、アッパーケース２１とロアーケース２２とを外装筐体２として一体的に組み立てた状態では、ロアーケース２２の背面部２２Ｄが、アッパーケース２１の背面部２１Ｄの切欠２１Ｄ１に嵌合することによって、外装筐体２の背面が構成されるようになっている。
【００３５】
前面部２２Ｅは、具体的な図示は省略するが、底面部２２Ａの縦方向前方側端縁のうち、アッパーケース２１の前面部２１Ｅの２つの切欠２１Ｅ２，２１Ｅ３に対応する部分から上方に立設形成されている。そして、アッパーケース２１とロアーケース２２とを外装筐体２として一体的に組み立てた状態では、ロアーケース２２の前面部２２Ｅが、アッパーケース２１の前面部２１Ｅの切欠２１Ｅ２，２１Ｅ３に嵌合することによって、外装筐体２の前面が構成されるようになっている。
【００３６】
〔２．内部構成〕
図３は、プロジェクタ１の内部構成を示す図である。
この図に示されるように、外装筺体２の内部には、プロジェクタ１の装置本体が収納されている。装置本体は、外装筺体２の横方向（図３では左右方向）に沿って延び、その一方の端部から前方に延びる平面視略Ｌ字状の光学ユニット４を含んで構成される。
なお、具体的な図示は省略するが、装置本体は、光学ユニット４の他にも、光学ユニット４の上方側に配置されてプロジェクタ１全体を制御する制御基板，光学ユニット４の平面視略Ｌ字状の内側部分において外装筺体２の前面に沿って配置されて、外部から供給された電力をプロジェクタ１の各構成要素に供給する電源ユニット，外装筐体２内部の各構成要素を冷却する冷却ユニットなどを含んでいる。特に、冷却ユニットには、前記の冷却ファン２６２，排気ダクト２６３などが含まれている。
【００３７】
〔３．光学ユニットの詳細な構成〕
光学ユニット４は、制御基板による制御の下、画像情報に応じて画像光を形成する。図３に示されるように、光学ユニット４は、光源装置４１と、均一照明光学系４２と、色分離光学系４３と、リレー光学系４４と、光学装置４５と、これらの光学部品４２〜４５を内部に収納する光学部品用筐体４６とを備えている。
【００３８】
光源装置４１は、制御基板による制御の下、点灯して平行光を均一照明光学系４２に向けて射出する。この光源装置４１は、図３に示すように、放射光源としての光源ランプ４１１と、リフレクタ４１２と、平行化凹レンズ４１３と、これら各部材４１１〜４１３を内部に収納するランプハウジング４１４とを備える。そして、光源ランプ４１１から射出された放射状の光束は、リフレクタ４１２にて反射され、平行化凹レンズ４１３を介して平行光とされる。なお、光源ランプ４１１としては、高圧水銀ランプ、メタルハライドランプ、ハロゲンランプ等が多用される。また、リフレクタ４１２としては、楕円面鏡に限らず、放物面鏡を採用してもよい。この場合には、平行化凹レンズ４１３を省略できる。
ランプハウジング４１４は、具体的な図示は省略するが、光源ランプ４１１、リフレクタ４１２、および平行化凹レンズ４１３を支持しこれら各部材４１１〜４１３を一体化するインナーハウジングと、ロアーケース２２の底面部分に取り付けられるとともに光学部品用筐体４６と接続し前記インナーハウジングにより各部材４１１〜４１３が一体化されたランプユニットを所定位置に着脱自在に支持するアウターハウジングとで構成される。
そして、光源装置４１を交換する際には、上述したランプカバー２５を天面部２１Ａにから取り外した状態で、前記ランプユニットを交換する。
【００３９】
均一照明光学系４２は、光源装置４１から射出された光束を、光学装置４５を構成する後述する液晶パネルの画像形成領域に略均一に照明するための光学系である。この均一照明光学系４２は、図３に示すように、第１レンズアレイ４２１と、第２レンズアレイ４２２と、偏光変換素子４２３と、重畳レンズ４２４とを備える。
第１レンズアレイ４２１は、光軸方向から見て略矩形状の輪郭を有する小レンズがマトリクス状に配列された構成を有している。各小レンズは、光源装置４１から射出される光束を複数の部分光束に分割している。
第２レンズアレイ４２２は、第１レンズアレイ４２１と略同様な構成を有しており、小レンズがマトリクス状に配列された構成を有している。この第２レンズアレイ４２２は、重畳レンズ４２４とともに、第１レンズアレイ４２１の各小レンズの像を光学装置４５の後述する液晶パネル上に結像させる機能を有している。
【００４０】
偏光変換素子４２３は、第２レンズアレイ４２２と重畳レンズ４２４との間に配置され、第２レンズアレイ４２２からの光を略１種類の偏光光に変換するものである。
具体的に、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００４１】
色分離光学系４３は、図３に示すように、２枚のダイクロイックミラー４３１，４３２と、反射ミラー４３３とを備え、ダイクロイックミラー４３１，４３２により均一照明光学系４２から射出された複数の部分光束を、赤、緑、青の３色の色光に分離する機能を有している。
リレー光学系４４は、図３に示すように、入射側レンズ４４１、リレーレンズ４４３、および反射ミラー４４２，４４４を備え、色分離光学系４３で分離された赤色光を光学装置４５の後述する赤色光用の液晶パネルまで導く機能を有している。
【００４２】
この際、色分離光学系４３のダイクロイックミラー４３１では、均一照明光学系４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。このフィールドレンズ４２５は、第２レンズアレイ４２２から射出された各部分光束をその中心軸（主光線）に対して平行な光束に変換する。他の緑色光用、赤色光用の液晶パネルの光束入射側に設けられたフィールドレンズ４２５も同様である。
【００４３】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学系４４を通り、さらにフィールドレンズ４２５を通って光学装置４５の後述する赤色光用の液晶パネルに達する。なお、赤色光にリレー光学系４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００４４】
光学装置４５は、図３に示すように、３枚の液晶パネル４５１（赤色光用の液晶パネルを４５１Ｒ、緑色光用の液晶パネルを４５１Ｇ、青色光用の液晶パネルを４５１Ｂとする）と、これら液晶パネル４５１の光束入射側および光束射出側にそれぞれ配置される入射側偏光板４５２および射出側偏光板４５３と、クロスダイクロイックプリズム４５４とを備える。
液晶パネル４５１は、具体的な図示は省略するが、一対の透明なガラス基板に電気光学物質である液晶が密封封入された構成を有し、前記制御基板から出力される駆動信号に応じて、前記液晶の配向状態が制御され、入射側偏光板４５２から射出された偏光光束の偏光軸を変更する。
入射側偏光板４５２は、偏光変換素子４２３で偏光方向が略一方向に揃えられた各色光が入射され、入射された光束のうち、偏光変換素子４２３で揃えられた光束の偏光軸と略同一方向の偏光光のみ透過させ、その他の光束を吸収するものである。この入射側偏光板４５２は、例えば、サファイアガラスまたは水晶等の透光性基板上に偏光膜が貼付された構成を有している。
射出側偏光板４５３は、入射側偏光板４５２と略同様の構成であり、液晶パネル４５１から射出された光束のうち、入射側偏光板４５２における光束の透過軸と直交する偏光軸を有する光束のみ透過させ、その他の光束を吸収するものである。
そして、上述した液晶パネル４５１、入射側偏光板４５２、および射出側偏光板４５３にて光変調装置を構成し、該光変調装置にて光束を画像情報に応じて変調して光学像を形成する。
【００４５】
クロスダイクロイックプリズム４５４は、前記光変調装置から射出された色光毎に変調された光学像を合成してカラー画像を形成する光学素子である。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され射出側偏光板４５３を介した色光を反射する。このようにして、各光変調装置にて変調された各色光が合成されてカラー画像が形成される。
【００４６】
〔４．ランプカバーの構造〕
図４は、ランプカバー２５を表面側から見た斜視図である。図５は、ランプカバー２５を裏面側から見た斜視図である。図６は、ランプカバー２５を表面側から見た平面図である。図７は、図６におけるVII-VIIに沿ったランプカバー２５の断面を示す断面図である。図８は、図７の部分拡大図である。
図５に示されるように、ランプカバー２５は、平面視略矩形状のランプカバー本体２５１と、ランプカバー本体２５１の裏面側においてスライド移動可能に設けられた平面視略矩形状のスライド部材２５２（本発明における閉塞移動部材に相当）と、ランプカバー本体２５１とスライド部材２５２との間に配置されるメッシュ２５３（本発明におけるフィルタに相当）とを備えて構成されている。
【００４７】
ランプカバー本体２５１は、外装筐体２の天面部２１Ａに形成されている天面開口部２４１Ａと略合致する略矩形状の平面形状を有している。以下、図５における上下方向を幅方向と、左右方向を長さ方向と称する。なお、後述するように、スライド部材２５２は、長さ方向に沿ってスライド移動可能に設けられているので、長さ方向のことをスライド方向と称することもある。ランプカバー本体２５１は、幅寸法よりも長さ寸法の方が長く、平面形状が長さ方向に沿って長尺の長方形状になっている。ランプカバー本体２５１の裏面側には、平坦な裏面２５１Ａと、裏面２５１Ａの周縁部において土手状に立設形成された土手部２５１Ｂとが形成されている。ここで、ランプカバー本体２５１の裏面側には、土手部２５１Ｂによって囲まれた平面視略矩形状のスペースが形成されており、当該スペース内にスライド部材２５２およびメッシュ２５３を収納配置することができるようになっている。
【００４８】
ランプカバー本体２５１には、複数（本実施形態では、２×８＝１６個）の平面視略矩形状の開口部２５１１（本発明における開口部に相当）が形成されている。各開口部２５１１は、２列に並べられており、各列では、開口部２５１１がスライド方向に沿って並んでいる。特に、本実施形態においては、各列において開口部２５１１が等間隔に並んでいる。ここで、各列における開口部２５１１間の間隔ｇは、開口部２５１１の長さ方向に沿った寸法ｄ以上になっている（ｇ≧ｄ）。なお、本実施形態においては開口部２５１１が２列に並べられているが、開口部２５１１はスライド方向に沿って１列に並べられていてもよいし、３列，４列・・・・に並べられていてもよい。
【００４９】
ランプカバー本体２５１における長さ方向に沿った一方の端縁（図５においては左側の端縁）からは、一対の突出部２５１２が長さ方向に沿って突出形成されている。一対の突出部２５１２は、ランプカバー２５を天面開口部２４１Ａに取り付ける際に、天面開口部２４１Ａの周縁部に形成されている一対の係止凹部２７１（後述）に、挿入されるようになっている。
ランプカバー本体２５１における長さ方向に沿った他方の端縁（図５においては右側の端縁）の中央部近傍であって、土手部２５１Ｂよりも内側には、係合突起２５１３が裏面２５１Ａから立設形成されている。係合突起２５１３は、ランプカバー２５を天面開口部２４１Ａに取り付けた状態で、外装筐体２の内部に向かって突出されるように形成されている。ランプカバー２５を天面開口部２４１Ａに取り付ける際には、天面開口部２４１Ａの周縁部の近傍に形成されている係合部２７２（後述）と、係合されるようになっている。係合突起２５１３の先端部分には、係合部２７２と係合するためにフック状に屈曲したフック部２５１３Ａが形成されている。
【００５０】
また、ランプカバー本体２５１の幅方向に沿った各端縁（図５においては上下側の各端縁）には、土手部２５１Ｂから内側に向かって幅方向に突出される凸部２５１４が、それぞれ２つずつ形成されている。詳しい図示は省略するが、各凸部２５１４は、裏面２５１Ａから所定距離隔たった位置において土手部２５１Ｂから突出形成されている。具体的には、凸部２５１４と裏面２５１Ａとの距離は、スライド部材２５２およびメッシュ２５３の厚さの和よりも大きくなっている。このため、凸部２５１４と裏面２５１Ａとの間のスペースにスライド部材２５２およびメッシュ２５３を収納配置することができるようになっている。なお、後述するように、凸部２５１４は、スライド部材２５２をランプカバー本体２５１に取り付ける際に利用される。
【００５１】
スライド部材２５２は、図９（スライド部材２５２を裏面側から見た斜視図）にも示されるように、平面視略矩形状である。ここで、スライド部材２５２の平面形状は、ランプカバー本体２５１の平面形状よりも長さ方向に沿って短く形成されており（図５参照）、この長さの差の分だけスライド部材２５２はランプカバー本体２５１に対して長さ方向に沿ってスライド移動可能になっている。スライド部材２５２には、ランプカバー本体２５１における開口部２５１１と同数（図９では、２×８＝１６個）の平面視略矩形状の開口部２５２１が形成されている。ここで、スライド部材２５２における開口部２５２１の配置は、ランプカバー本体２５１における開口部２５１１の配置と同じである。すなわち、スライド部材２５２における各開口部２５２１は、２列に並べられており、各列では、開口部２５２１がスライド方向に沿って等間隔に並んでいる。特に、各列における開口部２５２１間の間隔ｇ’は、ランプカバー本体２５１における開口部２５１１間の間隔ｇに等しく、また、開口部２５２１の長さ方向に沿った寸法ｄ’は、ランプカバー本体２５１における開口部２５１１の長さ寸法ｄに等しくなっている。ここで、ｇ≧ｄであるので、ｇ’≧ｄ’である。
【００５２】
スライド部材２５２における長さ方向に沿った一方の端縁（図９においては左側の端縁）の中央部には、ばね部２５２２（本発明における付勢手段に相当）と、被押圧部２５２３とが形成されている。
ばね部２５２２は、弾性変形可能な弾性材料によって構成され、前記一方の端縁の中央部から長さ方向に沿って遠ざかるにつれて幅方向に沿って次第に拡開する略Ｖ字状に形成されている。ここで、図５に示されるように、スライド部材２５２がランプカバー本体２５１に取り付けられた状態において、ばね部２５２２の先端部２５２２Ａは、ランプカバー本体２５１の土手部２５１Ｂの側壁に当接されて支持されるようになっている。そして、土手部２５１Ｂの側壁によって先端部２５２２Ａが支持されたばね部２５２２は、スライド方向に沿った付勢力（図５においては、右向きの付勢力）を発生する。
被押圧部２５２３は、前記一方の端縁の中央部からスライド部材２５２の裏面に対して垂直に立設形成された矩形の板状部である。後述するように、被押圧部２５２３は、外部からの押圧力（スライド方向）を受ける部分である。そして、スライド部材２５２は、被押圧部２５２３に加えられた押圧力に基づいて、スライド方向にスライド移動することができるようになっている。
【００５３】
スライド部材２５２の長さ方向に沿った他方の端縁（図９においては右側の端縁）の中央部には、ランプカバー本体２５１の係合突起２５１３とスライド部材２５２とが干渉するのを避けるための矩形状の切欠２５２４が形成されている。
【００５４】
また、スライド部材２５２における幅方向に沿った各端縁（図９においては上下側の各端縁）には、ランプカバー本体２５１に形成されている凸部２５１４と対応する凹部２５２５が形成されている。既にメッシュ２５３（後述）が取り付けられているランプカバー本体２５１にスライド部材２５２を取り付ける際には、スライド部材２５２における各凹部２５２５内をランプカバー本体２５１における各凸部２５１４が通過するようにする。このようにして、ランプカバー本体２５１における裏面２５１Ａと凸部２５１４との間のスペースにスライド部材２５２を移動させた状態において、さらに、スライド部材２５２のばね部２５２２の先端部２５２２Ａをランプカバー本体２５１の土手部２５１Ｂの側壁に当接させれば、ばね部２５２２によってスライド方向右向き（図５中）の付勢力が発生され、スライド部材２５２がスライド移動される。すると、図５に示されるように、ランプカバー本体２５１における凸部２５１４と、スライド部材２５２における凹部２５２５とのスライド方向に沿った位置がずれるので、スライド部材２５２がランプカバー本体２５１から容易に外れないようにすることができる。
【００５５】
メッシュ２５３（図５参照）は、網目状のフィルタであり、ランプカバー本体２５１の開口部２５１１およびスライド部材２５２の開口部２５２１を通じて外装筐体２内部に塵埃などの異物が侵入するのを防止する役割を果たす。図７および図８（図７の部分拡大図）に示されるように、メッシュ２５３は、ランプカバー本体２５１の各開口部２５１１を覆うように配設されている。このため、図８の上側から来る外部の塵埃等は、メッシュ２５３によって遮られて、外装筐体２の内部（図８の下側）に侵入することがなくなる。なお、図８に示されるように、メッシュ２５３は、ランプカバー本体２５１の表面に近い位置に配設されており、ランプカバー本体２５１の表面とメッシュ２５３の表面との間の段差が小さくされている。このような段差部にはメッシュ２５３によって遮られた塵埃等が溜まりやすいところ、本実施形態のように段差部を小さくすればメッシュ２５３上に溜まる塵埃等の量を少なくすることができる。
【００５６】
〔５．ランプカバーにおける開口部の開閉構造〕
続いて、以上のような構成を有するランプカバー２５における開口部２５１１の開閉構造について説明する。
【００５７】
図５に示されるように、スライド部材２５２の被押圧部２５２３に外部から押圧力が加わっていない場合には、スライド部材２５２は、ばね部２５２２にて発生されるスライド方向の付勢力にしたがって、図５中右側の位置にある。このとき、ランプカバー本体２５１の各開口部２５１１とスライド部材２５２の各開口部２５２１とが略完全に重なっており、当該両開口部２５１１，２５２１によって、ランプカバー２５の表面側と裏面側とを連通させる開口部が形成されている。ここで、見方を変えれば、ランプカバー本体２５１の開口部２５１１（本発明における開口部に相当）は、スライド部材２５２（の開口部２５２１）によって開放されていると見ることができる。したがって、図５におけるスライド部材２５２の位置は、本発明における『開放位置』に相当している。そして、本発明における付勢手段としてのばね部２５２２は、本発明における閉塞移動部材としてのスライド部材２５２を開放位置側に付勢する手段となっている。なお、図４，図６〜図８などは、スライド部材２５２が開放位置にある場合の図である。
【００５８】
また、図１０に示されるように、スライド部材２５２の被押圧部２５２３に外部からスライド方向左向き（開放位置側とは逆向き）に所定の大きさ以上の押圧力が加わると、ばね部２５２２の付勢力（スライド方向右向き）に抗してスライド部材２５２がスライド方向左側にスライド移動される。このとき、ランプカバー本体２５１の各開口部２５１１（図１０における破線参照）とスライド部材２５２の各開口部２５２１とは、スライド方向に沿ってずれた位置にあり、ランプカバー本体２５１の開口部２５１１（本発明における開口部に相当）は、スライド部材２５２によって閉塞されている。したがって、図１０におけるスライド部材２５２の位置は、本発明における『閉塞位置』に相当している。なお、図１０においては被押圧部２５２３に押圧力を加える主体については図示していない。この主体については後述する。
【００５９】
以上のように、本発明における閉塞移動部材としてのスライド部材２５２は、被押圧部２５２３に加わる押圧力に応じて開放位置（図５）と閉塞位置（図１０）との間をスライド移動可能になっている。
【００６０】
〔６．天面部とランプカバーとの係合構造〕
図１１は、ランプカバー２５を取り外した状態の天面開口部２４１Ａを示す斜視図である。天面開口部２４１Ａ内部には、天面部２１Ａの表面よりも外装筐体２の内側に窪んだ位置にランプカバー２５を取り付けるためのカバー取付部２７が形成されている。カバー取付部２７は、ランプカバー２５の平面形状における輪郭線と略合致する輪郭線によって画された略矩形状の平面形状を有する。ここで、カバー取付部２７の略中央部分には、光源装置４１を構成する前記ランプユニットの平面形状に対応し、天面開口部２４１Ａよりも開口面積の小さい平面視略矩形状のランプ開口部２７Ａが形成されている。そして、光源装置４１を交換する際には、カバー取付部２７からランプカバー２５を取り外した状態で、ランプ開口部２７Ａを介して、前記ランプユニットを交換する。
【００６１】
カバー取付部２７の周縁部には、ランプカバー２５における一対の突出部２５１２（図５）に対応する一対の係止凹部２７１が形成されている。ここで、ランプカバー２５をカバー取付部２７に取り付ける際に、一対の突出部２５１２が一対の係止凹部２７１に挿入されると、ランプカバー２５は、一対の突出部２５１２の先端部を回動支持部として上下方向に回動することができる。
【００６２】
カバー取付部２７において、ランプ開口部２７Ａの周縁部には、ランプカバー２５における係合突起２５１３（図５）に対応する係合部２７２が形成されている。そして、ランプカバー２５における一対の突出部２５１２（図５）がカバー取付部２７における一対の係止凹部２７１に挿入された状態で、さらに、ランプカバー２５における係合突起２５１３（図５）をカバー取付部２７における係合部２７２に係合させることにより、ランプカバー２５をカバー取付部２７に取り付けることができる。係合部２７２は、係合突起２５１３のフック部２５１３Ａと係合可能なフック部２７２Ａを有している。なお、詳しい図示は省略するが、係合部２７２は、図１１における左右方向にスライド移動可能に設けられているとともに、ばねによって図１１における右側に常時付勢されている。
【００６３】
このような係合部２７２に、ランプカバー２５における係合突起２５１３を挿入すると、係合突起２５１３から受ける力によって係合部２７２がばねの付勢力に抗して図１１における左側にスライド移動される。そして、係合突起２５１３および係合部２７２の両フック部２５１３Ａ，２７２Ａが係合可能位置にくると、今度はばねの付勢力によって係合部２７２が図１１における右側にスライド移動し、両フック部２５１３Ａ，２７２Ａが係合される。以上のように、ばねの付勢力のもとでの係合部２７２のスライド移動を利用して、係合突起２５１３と係合部２７２とをしっかりと係合させることができる。
【００６４】
逆に、係合突起２５１３および係合部２７２の係合状態を解除するためには、係合部２７２と対向する位置に形成されている外装筐体２の操作用孔２１Ｂ１に外部からドライバ等の棒状部材を挿入し、当該棒状部材の先端部にて係合部２７２を図１１における左側に押圧し、係合部２７２を図１１における左側にスライド移動させればよい。係合部２７２が図１１における左側にスライド移動すれば、係合突起２５１３のフック部２５１３Ａと係合部２７２のフック部２７２Ａとの係合状態が解除されるので、係合突起２５１３を係合部２７２から取り外すことができる。
【００６５】
また、カバー取付部２７の周縁部には、ランプカバー２５における被押圧部２５２３（図５）に対応する長孔２７３が形成されている。長孔２７３は、ランプカバー２５のスライド部材２５２のスライド方向に沿って長尺の孔であり、ランプカバー２５がカバー取付部２７に取り付けられている状態において、被押圧部２５２３が挿通されるようになっている。ここで、図５および図１０を参照して説明したように、被押圧部２５２３は、スライド部材２５２のスライド移動に連動してスライド移動するようになっているが、長孔２７３をスライド方向に沿って長尺とすることによって、被押圧部２５２３が長孔２７３内部を長尺方向に沿ってスライド移動できるようになっている。また、長孔２７３は、貫通孔であって、その深さは被押圧部２５２３の高さ（図５においては裏面２５１Ａに対して垂直な方向に沿った寸法）よりも小さい。このため、被押圧部２５２３は長孔２７３を深さ方向に沿って貫通し、被押圧部２５２３の先端部が長孔２７３から外装筐体２の内部に向かって突出されることになる（図１４，図１７参照）。
【００６６】
〔７．ランプカバーにおける開口部の開閉動作制御〕
続いて、ランプカバー２５がカバー取付部２７に取り付けられた状態において、ランプカバー２５における開口部２５１１の開閉動作制御について説明する。
図１２は、ランプカバー２５がカバー取付部２７に取り付けられた状態を外装筐体２の裏面側から見た斜視図であり、特に、ランプカバー２５の開口部２５１１が開放された状態（図５参照）を示している。図１３は、図１２の部分拡大図である。図１４は、図１３の部分拡大図である。
また、図１５は、ランプカバー２５がカバー取付部２７に取り付けられた状態を外装筐体２の裏面側から見た斜視図であり、特に、ランプカバー２５の開口部２５１１が閉塞された状態（図１０参照）を示している。なお、開口部２５１１は閉塞されて図１５においては隠れてしまうので、図示はされていない。図１６は、図１５の部分拡大図である。図１７は、図１６の部分拡大図である。
【００６７】
図１２〜図１７に示されるように、カバー取付部２７の裏面側には、ランプカバー２５におけるスライド部材２５２をスライド駆動可能なスライド駆動手段２８（本発明における駆動手段に相当）が設けられている。スライド駆動手段２８は、外装筐体２内部に配置される電源ユニットからの電力供給を受けてスライド部材２５２を駆動する手段であり、図１４および図１７において拡大して図示されている。これらの図に示されるように、スライド駆動手段２８は、スライド方向に沿って配置されるソレノイド２８１と、ソレノイド２８１に挿通されてスライド方向に沿って進退可能な棒状の押圧部２８２とを備えて構成されている。ソレノイド２８１は電源ユニットからの供給電流に基づいて磁界を発生可能である。押圧部２８２は、磁性材料によって構成されており、ソレノイド２８１において発生された磁界に応じてスライド方向に沿って駆動されるようになっている。具体的には、ソレノイド２８１に電流が供給されて磁界が発生しているときには、押圧部２８２は、図１４および図１７における下方に駆動されるようになっている。
【００６８】
さて、図１４および図１７に示されるように、押圧部２８２の先端部には、カバー取付部２７における長孔２７３（図１１）を挿通されたスライド部材２５２の被押圧部２５２３（図５）の先端部が当接するようになっている。ここで、前述したように、スライド部材２５２はばね部２５２２（図５）によって付勢されているところ、スライド部材２５２における被押圧部２５２３は、図１４および図１７における上方に向かって付勢されており、被押圧部２５２３に当接されている押圧部２８２も図１４および図１７における上方に向かって付勢されることになる。
【００６９】
以上のように、ソレノイド２８１に基づく押圧部２８２の駆動方向（図１４および図１７における下方）と、ばね部２５２２に基づく押圧部２８２の付勢方向（図１４および図１７における上方）とが逆になっている。
このような構成の下で、ソレノイド２８１に電流が供給されていない場合には、図１４に示されるように、押圧部２８２は被押圧部２５２３とともに、ばね部２５２２の付勢力にしたがって上方にスライド移動される。そして、図１４の状態においては、図１２および図１３に示されるように、ランプカバー２５における開口部２５１１が開放状態にある。
これに対して、ソレノイド２８１に電流が供給されている場合には、図１７に示されるように、ソレノイド２８１にて発生される磁界に基づいて押圧部２８２がばね部２５２２の付勢力に抗して下方に駆動される。この際、押圧部２８２は、被押圧部２５２３を押圧して下方に駆動する。そして、このような図１７の状態においては、図１５および図１６に示されるように、ランプカバー２５における開口部２５１１が閉塞状態にある。このように、ソレノイド２８１および押圧部２８２を備えるスライド駆動手段２８は、電源ユニットからの電力供給を受けて、被押圧部２５２３を含むスライド部材２５２を閉塞位置側にスライド駆動することができる。
以上のように、本実施形態では、駆動手段としてのスライド駆動手段２８と、付勢手段としてのばね部２５２２とによって、スライド部材２５２の移動を制御する本発明における移動制御手段が構成されている。
【００７０】
以上のように、ソレノイド２８１に電流が供給されていない場合には開口部２５１１が開放状態にあり、ソレノイド２８１に電流が供給されている場合には開口部２５１１が閉塞状態にある。本実施形態では、ソレノイド２８１への電流の供給をプロジェクタ１の電源のオン／オフに連動させている。すなわち、プロジェクタ１の電源がオンのときにはソレノイド２８１に電流が供給されて開口部２５１１が閉塞状態にあるようにし、プロジェクタ１の電源がオフのときにはソレノイド２８１に電流が供給されずに開口部２５１１が開放状態にあるようにしている。
【００７１】
このような構成の下での光源装置４１の冷却について、図２を参照しながら説明する。
まず、プロジェクタ１の電源がオンのときには、開口部２５１１が閉塞状態にあるが、光源装置４１は冷却ファン２６２によって冷却されているので、外装筐体２内部はそれほど高温にならない。
続いて、プロジェクタ１の電源をオフにすると、これに連動して電源ユニットによるプロジェクタ１の各構成要素への電力供給が停止されて冷却ファン２６２も停止して、光源装置４１の冷却が停止される。しかしながら、電源オフ直後においては光源装置４１は非常に高温になっている。ここで、本実施形態では、前述したように、電源オフと同時に、光源装置４１に対応する位置に形成されている開口部２５１１が、ばね部２５２２（図５）の付勢力に基づいて自動的に開放されるようになっている。このため、電源オフ直後に非常に高温になっている光源装置４１を、開放された開口部２５１１を介して自然冷却することができる。
なお、プロジェクタ１の電源が再びオンにされたときには、ソレノイド２８１において磁界が発生されて開口部２５１１が閉塞されるとともに、冷却ファン２６２が駆動される。そして、以後電源がオンの間は、冷却ファン２６２によって光源装置４１の冷却が行われる。
【００７２】
以上説明したように、本実施形態によれば、プロジェクタ１の電源オフに合わせて冷却ファン２６２による光源装置４１の冷却が停止された場合であっても、ばね部２５２２の付勢力に基づいてスライド部材２５２を開放位置に移動させて開口部２５１１を開放することができるので、当該開口部２５１１を介して光源装置４１を自然冷却することができる。このため、プロジェクタ１の電源オフ直後などに高温になっている光源装置４１の余熱によって外装筐体２内部が高温になるのを防止することができ、不具合の発生を防止することができる。また、特許文献１とは異なり、プロジェクタ１の電源オフ後には冷却ファン２６２が駆動されないようになっているので、プロジェクタ１使用後における静音性を確保することができるとともに、使用直後であってもプロジェクタ１の持ち運びを可能にすることができる。
【００７３】
また、本実施形態によれば、スライド部材２５２の開放位置への移動がばね部２５２２の付勢力に基づいて行われ、電力が用いられないようになっているので、電力消費の少ないプロジェクタ１を提供することができる。特に、プロジェクタ１の使用後（非使用時）にスライド部材２５２を開放位置に移動させる場合にも電力が不要になるので、特許文献１における二次電池のようにプロジェクタ使用後の電力供給を行うためのサブ電源を設ける必要がなくなり、部品点数および部品コストを低減することができる。
【００７４】
また、本実施形態によれば、開口部２５１１が形成されたランプカバー２５を外装筐体２から取り外すことができるので、開口部２５１１に塵埃等の異物が溜まった場合であっても簡単に除去することができ、また、ランプカバー２５を外装筐体２から取り外せば開口部２５１１の開閉に用いられるスライド部材２５２やスライド駆動手段２８の交換や修理を簡単に行うことができる。
【００７５】
また、本実施形態によれば、スライド部材２５２が開放位置にあって開口部２５１１が開放されている時にもメッシュ２５３によって外装筐体２内部への異物の侵入を防止することができるから、不具合の発生を防止することができる。
【００７６】
光源装置４１で温められて比重の小さくなった高温空気は外装筐体２の天面部２１Ａに向かって上昇するので、開口部２５１１を天面部２１Ａ（ランプカバー２５）に形成することによって、当該開口部２５１１を介して高温空気を効率的に外装筐体２外部に排出させることができ、光源装置４１を効率的に自然冷却することができる。
【００７７】
また、本実施形態によれば、プロジェクタ１の電源がオンのときには、開口部２５１１が閉塞されているので、光源装置４１から射出された光が開口部２５１１を通じて漏れるのを防止することができる。そして、開口部２５１１が開放されるのはプロジェクタ１の電源がオフのとき、すなわち、光源装置４１からの光の射出も停止されているときなので、開口部２５１１からの光漏れは発生しない。
【００７８】
＜第２実施形態＞
次に、図１８，図１９を用いて、本発明の第２実施形態について、第１実施形態との相違点に重点を置いて説明する。なお、第１および第２実施形態間で同一の、または、対応する構成要素については同一符号を付して、その説明を省略もしくは簡略化する。
【００７９】
図１８および図１９は、第２実施形態に係るランプカバー２５を裏面側から見た平面図である。具体的には、図１８は、開口部２５１１が開放状態にあるときの図であり、図１９は、開口部２５１１（破線参照）が閉塞状態にあるときの図である。第２実施形態では、スライド部材２５２をスライド駆動するためのスライド駆動手段２８の構成が第１実施形態と異なっている。まず、第１実施形態では、図１３，図１６に示されるように、スライド駆動手段２８が、カバー取付部２７の裏面に取り付けられており、ランプカバー２５とは別体に構成されていたのに対し、第２実施形態では、スライド駆動手段２８がランプカバー２５と一体的に構成されている。具体的には、スライド駆動手段２８は、スライド部材２５２とともに、ランプカバー本体２５１の裏面側に取り付けられている。
【００８０】
また、スライド駆動手段２８は、ソレノイド２８１および押圧部２８２を含んで構成されていた第１実施形態とは異なり、一対のバイメタル２８３（本発明における熱変形部材に相当）を含んで構成されている。なお、バイメタル２８３は２つである必要はなく、数は問わない。バイメタル２８３は、熱膨張率の異なる２種類の薄い金属板を貼り合わせて１枚の板状に形成したものであって、温度に応じて変形可能である。本実施形態では、バイメタル２８３の一端が固定部２８３１を介してランプカバー本体２５１の裏面に固定され、他端がスライド部材２５２に固定されている。ここで、バイメタル２８３は、固定部２８３１に固定された一端を中心として他端に至るまで渦巻状に配置されており、ランプカバー本体２５１の裏面側の限られたスペース内で最大限の変形量を得られるように工夫されている。バイメタル２８３の他端部は、略直角に屈曲した屈曲部２８３Ａとなっており、この屈曲部２８３Ａが、スライド部材２５２において立設形成されている挟持部２８３２間に挟持されることにより、バイメタル２８３はスライド部材２５２に対して固定される。
【００８１】
図１８は、高温時の状態を示す図である。高温時においては、バイメタル２８３は、渦巻き形状が緩むように変形し、図１８における上方（開放位置側）に向かってスライド部材２５２がスライド駆動される。そして、図１８に示されるように、開口部２５１１が開放される。
【００８２】
図１９は、低温時の状態を示す図である。低温時においては、バイメタル２８３は、渦巻き形状が締まるように変形し、図１９における下方（閉塞位置側）に向かってスライド部材２５２がスライド駆動される。そして、図１９に示されるように、開口部２５１１が閉塞される。
【００８３】
ここで、「高温時」（図１８）とは、光源装置４１（図２）が高温になっているにも関わらず冷却ファン２６２（図２）による冷却が行われない時、例えば、プロジェクタ１の使用直後において冷却ファン２６２が停止し、高温になっている光源装置４１の余熱によって外装筐体２内部が高温になっている時などをいう。また、「低温時」（図１９）とは、プロジェクタ１の使用時において冷却ファン２６２によって光源装置４１の冷却が行われており、光源装置４１から発生する熱が外装筐体２内部に滞留することがない時や、プロジェクタ１の使用終了から所定時間が経過しており、光源装置４１自体が低温（室温程度）になっている時などをいう。そして、バイメタル２８３は、ここで説明した「高温時」および「低温時」において、それぞれ、図１８および図１９のような変形を行うことができるように、適切な金属の組み合わせによって構成されているものとする。
【００８４】
このような構成の下での光源装置４１の冷却について、図２，図１８，図１９を参照しながら説明する。
まず、プロジェクタ１の電源がオンのときには、光源装置４１は冷却ファン２６２によって冷却されているので、外装筐体２内部はそれほど高温にならない。そのため、バイメタル２８３は「低温」であり、図１９に示されるように、開口部２５１１は閉塞状態にある。
続いて、プロジェクタ１の電源をオフにすると、これに連動して電源ユニットによるプロジェクタ１の各構成要素への電力供給が停止されて冷却ファン２６２も停止して、光源装置４１の冷却が停止される。しかしながら、電源オフ直後においては光源装置４１は非常に高温になっているので、その余熱によって外装筐体２内部が高温になる。すると、バイメタル２８３も「高温」になり、図１８に示されるように、開口部２５１１が開放される。このため、電源オフ直後に非常に高温になっている光源装置４１を、開放された開口部２５１１を介して自然冷却することができる。
そして、自然冷却によって光源装置４１の温度が十分に下がると、バイメタル２８３は「低温」になり、図１９に示されるように、開口部２５１１が閉塞される。このため、第１実施形態とは異なり、プロジェクタ１の電源オフ時に開口部２５１１が開放されたままになることがなく、開口部２５１１を通じて外装筐体２内部に塵埃等の異物が侵入する可能性をより一層低くすることができる。
なお、プロジェクタ１の電源が再びオンにされたときには、冷却ファン２６２が駆動されて光源装置４１の冷却が通常通り行われるので、バイメタル２８３は「低温」のままであり、図１９に示されるように、開口部２５１１は閉塞されたままである。
【００８５】
以上のような本実施形態によれば、スライド部材２５２のスライド移動がバイメタル２８３の変形に基づいて行われ、電力が用いられないようになっているので、電力消費の少ないプロジェクタ１を提供することができる。特に、プロジェクタ１の使用直後（高温時）にスライド部材２５２を開放位置に移動させる場合にも電力が不要になるので、特許文献１における二次電池のようにプロジェクタ使用後の電力供給を行うためのサブ電源を設ける必要がなくなり、部品点数および部品コストを低減することができる。
【００８６】
＜変形例＞
本発明は、以上で説明した実施形態によって限定されるものではなく、この実施形態を、本発明の目的を達成できる範囲内において変形したものであれば、本発明の技術的範囲に含まれる。
【００８７】
例えば、前記各実施形態では、開閉が行われる開口部２５１１がランプカバー２５に形成されていたが、開口部２５１１は、外装筐体２において光源装置４１に対応する位置に形成されていればよい。この際、外装筐体２の天面部２１Ａに開口部２５１１を形成する必要はなく、例えば、側面部２１Ｂに形成してもよい。
【００８８】
また、前記各実施形態では、閉塞移動部材としてスライド移動に応じて開口部２５１１を開閉するスライド部材２５２を設けていたが、回動可能な閉塞移動部材を設けて、当該閉塞移動部材の回動に応じて開口部の開閉を行うようにしてもよい。
【００８９】
また、前記各実施形態では、複数の開口部２５１１を行列状に整列配置していたが、開口部の数や形や配置は問わない。要するに、移動可能に設けられた閉塞移動部材によって開閉可能な開口部であれば何でもよい。
【００９０】
また、前記各実施形態では、冷却ファン２６２は、吸気面が光源装置４１に対向するように配置されていたが、冷却ファンとしては光源装置４１を冷却可能なファンであればよく、その構成や配置は問わない。
【００９１】
また、前記各実施形態では、冷却ファン２６２の駆動／停止がプロジェクタ１の電源のオン／オフと連動するようになっており、プロジェクタ１の使用終了に合わせて電源をオフにすると、電源ユニット（メイン電源）からの電力供給が停止されて冷却ファン２６２の駆動が停止するようになっていたが、プロジェクタ１の使用後に電力供給を行うことが可能なサブ電源を設け、当該サブ電源によってプロジェクタ１の使用後（特に、使用直後）にも冷却ファン２６２を駆動して光源装置４１の冷却を行ってもよい。ここで、プロジェクタ１の使用直後には、開口部２５１１が開放されて光源装置４１が自然冷却されるようにもなっているので、サブ電源としてはプロジェクタ１の電源オン時よりも弱く冷却ファン２６２を駆動できるものであれば十分である。このような構成によれば、プロジェクタ１の使用後には、冷却ファン２６２の駆動を緩和させることができるので、プロジェクタ１使用後における静音性を確保することができるとともに、使用直後であってもプロジェクタ１の持ち運びを可能にすることができる。
【００９２】
また、前記第１実施形態では、電流が流されたソレノイド２８１によって開口部２５１１の閉塞を行っていたが、このような駆動手段としては、ソレノイド２８１に限られず、電力の供給を受けて閉塞を行うものであればその構成は問わない。
【００９３】
また、前記第１実施形態では、ソレノイド２８１への電力の供給を、プロジェクタ１の電源のオン／オフに連動させていたが、例えば、冷却ファン２６２への電力の供給と連動させてもよい。すなわち、冷却ファン２６２に電力が供給されている場合にはソレノイド２８１に電力が供給され（閉塞状態）、冷却ファン２６２に電力が供給されていない場合にはソレノイド２８１に電力が供給されない（開放状態）ようにしてもよい。このようにすれば、故障により冷却ファン２６２への電力供給が適切に行われなくなったような場合にはソレノイド２８１に電力が供給されなくなるから、開口部２５１１は開放される。すると、冷却ファン２６２の故障により冷却されずに高温になっている光源装置４１が開放された開口部２５１１を通じて自然冷却されるから、外装筐体２内部の温度上昇を防ぐことができ、不具合の発生を防止することができる。
【００９４】
同様に、ソレノイド２８１への電力の供給を、光源装置４１への電力の供給と連動させてもよい。すなわち、光源装置４１に電力が供給されている場合にはソレノイド２８１に電力が供給され（閉塞状態）、光源装置４１に電力が供給されていない場合にはソレノイド２８１に電力が供給されない（開放状態）ようにしてもよい。このようにすれば、光源装置４１に電力が供給されて光束が射出されている間は、開口部２５１１が閉塞されているので、開口部２５１１を通じた光漏れを防止することができる。
【００９５】
また、前記第２実施形態では、熱変形部材としてバイメタル２８３を用いていたが、熱に応じて伸縮可能な熱伸縮素子を熱変形部材として用いてもよい。
【産業上の利用可能性】
【００９６】
本発明は、プロジェクタにおける光源装置の冷却に利用することができる。
【図面の簡単な説明】
【００９７】
【図１】本発明の第１実施形態に係るプロジェクタを背面上方側から見た斜視図である。
【図２】プロジェクタを天面側から見た平面図である。
【図３】プロジェクタの内部構成を示す図である。
【図４】プロジェクタにおけるランプカバーを表面側から見た斜視図である。
【図５】ランプカバーを裏面側から見た斜視図である。
【図６】ランプカバーを表面側から見た平面図である。
【図７】図６におけるVII-VIIに沿ったランプカバーの断面を示す断面図である。
【図８】図７の部分拡大図である。
【図９】ランプカバーにおけるスライド部材を裏面側から見た斜視図である。
【図１０】開口部が閉塞状態にあるランプカバーを裏面側から見た斜視図である。
【図１１】ランプカバーを取り外した状態の天面開口部を示す斜視図である。
【図１２】ランプカバーがカバー取付部に取り付けられた状態を外装筐体の裏面側から見た斜視図であり、特に、ランプカバーの開口部が開放された状態を示している。
【図１３】図１２の部分拡大図である。
【図１４】図１３の部分拡大図である。
【図１５】ランプカバーがカバー取付部に取り付けられた状態を外装筐体の裏面側から見た斜視図であり、特に、ランプカバーの開口部が閉塞された状態を示している。
【図１６】図１５の部分拡大図である。
【図１７】図１６の部分拡大図である。
【図１８】本発明の第２実施形態に係るランプカバーを裏面側から見た平面図であり、開口部が開放状態にあるときを示している。
【図１９】本発明の第２実施形態に係るランプカバーを裏面側から見た平面図であり、開口部が閉塞状態にあるときを示している。
【符号の説明】
【００９８】
１…プロジェクタ，２…外装筺体，３…投射レンズ，４…光学ユニット，２１…アッパーケース，２１Ａ…天面部，２１Ｂ１…操作用孔，２２…ロアーケース，２５…ランプカバー，２６…排気口，２７…カバー取付部，２８…スライド駆動手段，４１…光源装置，４２…均一照明光学系，４３…色分離光学系，４４…リレー光学系，４５…光学装置，４６…光学部品用筐体，２４１Ａ…天面開口部，２５１…ランプカバー本体，２５２…スライド部材，２５３…メッシュ，２６２…冷却ファン，２６３…排気ダクト，２７１…係止凹部，２７２…係合部，２７３…長孔，２８１…ソレノイド，２８２…押圧部，２８３…バイメタル，４１１…光源ランプ，４１２…リフレクタ，４５１…液晶パネル，２５１１…開口部，２５２１…開口部，２５１２…突出部，２５１３…係合突起，２５２２…ばね部，２５２３…被押圧部。
【図１】
2007033792.tif 000003
【図２】
2007033792.tif 000004
【図３】
2007033792.tif 000005
【図４】
2007033792.tif 000006
【図５】
2007033792.tif 000007
【図６】
2007033792.tif 000008
【図７】
2007033792.tif 000009
【図８】
2007033792.tif 000010
【図９】
2007033792.tif 000011
【図１０】
2007033792.tif 000012
【図１１】
2007033792.tif 000013
【図１２】
2007033792.tif 000014
【図１３】
2007033792.tif 000015
【図１４】
2007033792.tif 000016
【図１５】
2007033792.tif 000017
【図１６】
2007033792.tif 000018
【図１７】
2007033792.tif 000019
【図１８】
2007033792.tif 000020
【図１９】
2007033792.tif 000021